【事件の表示】
　平成　７年特許願第　４０９６０号「カメラ型スキャナ装置」拒絶査定不服審判事件〔平成　８年１１月　１日出願公開、特開平　８−２８９１４４〕について、次のとおり審決する。
【結　論】
　本件審判の請求は、成り立たない。
【理　由】
１．手続きの経緯・本願発明 
　本願は、平成７年２月２８日の出願であって、その請求項１に記載された発明は、特許請求の範囲の請求項１に記載された次のとおりのものである（以下、「本願発明」という。）。
 　「【請求項１】  レンズを介して入射される被写体からの反射光線を受光し、受光量に応じて変換した電気信号を出力する複数の光電変換手段を有した撮像素子を具備するカメラ型スキャナ装置であって、
　前記複数の光電変換手段における感度ムラに基づく第１補正データを記憶している第１メモリと、
　前記レンズ固有の光量分布に基づく第２補正データを記憶している第２メモリと、
　前記第１メモリに記憶されている第１補正データ及び前記第２メモリに記憶されている第２補正データと前記撮像素子からの出力信号とを演算する演算手段とを備え、
　前記演算手段による演算結果により前記電気信号を補正するように構成されていることを特徴とするカメラ型スキャナ装置。」
  
２．引用例 
　原査定の拒絶の理由に引用された特開平６−１０５１４５号公報（以下、「引用例１」という。）には、
　ア　「【請求項１】  １次元イメージセンサを用いて原画の反射光による画像を入力する画像入力部を有する画像入力装置において、前記画像入力部により原画の透過光による画像も入力できるようにするため透過光用の面光源を配設し、更に、前記画像入力部に、少なくとも前記面光源の２次元シェーディング補正を行なうシェーディング補正手段を設けたことを特徴とする画像入力装置。
【請求項２】  前記シェーディング補正手段は、前記１次元イメージセンサの画素間における感度むらを補正するためのセンサ１次元シェーディング補正係数配列を予め格納する手段と、この格納後に、前記１次元イメージセンサで前記面光源を走査し、その走査出力を前記センサ１次元シェーディング補正係数配列で補正することにより、少なくとも前記面光源の２次元的な照射むらを表わす２次元シェーディング補正係数配列を求め、この２次元シェーディング補正係数配列を前記センサ１次元シェーディング補正係数配列とは別に格納する手段とを備えたことを特徴とする請求項１記載の画像入力装置。
【請求項３】  前記センサ１次元シェーディング補正係数配列の標本化点の間隔は１画素間隔とし、前記２次元シェーディング補正係数配列の標本化点間隔は、前記面光源のシェーディング量の変化率に応じて、１画素よりも十分広い間隔としたことを特徴とする請求項２記載の画像入力装置。」（２頁１欄２行〜２５行、特許請求の範囲）、
　イ　「この種の画像入力装置（撮像装置）では、同一の（一様な）明度の対象物（被写体）を読み取った場合でも、画像入力部（受光部）の出力信号ｆ（ｘ，ｙ）が対象物の位置（ｘ，ｙ）に依存して変化する。これを、シェーディング現象と呼ぶ。シェーディングには、一次元スキャナー（ＣＣＤなど）の素子（すなわち画素）毎の感度のばらつきによるもの、光学系（レンズ系）の収差により生じる変調シェーディング、あるいは、ランプなど照明系の光量の不均一により生じる光量シェーディングなどがある。ここで、ｘは１次元スキャナーの素子（画素）の配列方向、ｙはそれと直角な１次元スキャナーの移動方向である。」（２頁１欄〜２欄、【０００３】）、
　ウ　「【作用】上記構成に基づく作用を説明する。本発明によれば、１次元イメージセンサを用いた反射型の画像入力装置において、透過光用の面光源を配設したことにより、１次元イメージセンサを用いて透過型の画像入力装置と兼用することができる。この場合、面光源の２次元シェーディング補正を行なうシェーディング補正手段を設けたことにより、透過光の画像入力に対しても良好な画質を得ることができる。また、シェーディング補正を行なう場合に、イメージセンサの各画素ごとの感度むらは不連続性があるため各画素毎にシェーディング補正を行なう必要があるが、１次元イメージセンサではその感度むら補正のためのシェーディング補正係数配列は１ライン分あればよくメモリも１ライン分の記憶容量があればよい。一方、面光源による２次元的な照射むら（光量変化）は連続性があるため、そのシェーディング補正をする標本化点間隔は画素間隔よりも十分広くてよいが、２次元の光源であるためシェーディング補正係数配列としては２次元分必要で、メモリも面全体の２次元分の記憶容量が必要である。なお、光学系（レンズ系）による変調シェーディングについては、連続性があるため標本化点間隔は画素間隔よりも十分広くてよくまたそのシェーディング補正係数配列は１ライン分必要である。本発明では、このような各種のシェーディング補正係数の特徴に着目して、１次元イメージセンサの感度むら補正のためのセンサ１次元シェーディング補正係数配列と面光源の照射むら補正のための２次元（照明）シェーディング補正係数配列とを分けて別々にメモリに格納するようにしたので、センサ１次元シェーディング補正係数配列の数やこれを格納するメモリ容量は、１ラインの画素数分あればよく、また、２次元（照明）シェーディング補正係数配列の数やこれを格納するメモリ容量は、２次元の画面の画素数に比べて極めて少ない標本化点の数の分だけあればよく、これらのシェーディング補正係数配列の数を削減しその記憶容量を少なくすることができる。なお、光学系（レンズ系）の変調シェーディングに対する変調シェーディング補正係数配列は、センサ１次元シェーディング補正係数配列及び２次元（照明）シェーディング補正係数配列のいずれと合わせることもできるが、ここでは、２次元（照明）シェーディング補正係数配列と合わせて得られるようにされている。ここで、本発明によるシェーディング補正作用について、更に詳しく説明する。シェーディング補正係数は次に示す３つの係数の積で表わすことができる。
（１）イメージセンサのビット間（各素子間すなわち各画素間）の感度ばらつきの係数
（２）光学系（レンズ系）の変調シェーディングの係数
（３）照明系（ランプ）の照射むらの係数
上記３つの係数について必要な数を考えると前述のように、（１）についてはビット間（１画素間）の連続性が無いので係数の数は画素の数だけ必要となる。（２）および（３）については、ビット間の連続性があり、またその変化率もなだらかであるので、全画素の標本化を行なう必要はなく、標本化点間隔を大きくとることができ、係数の数も少なくすることができる。」（３頁４欄〜４頁５欄、【００１３】〜【００１８】）、 
　エ　「図１は、本発明の一実施例のブロック図を示し、１は白色基準板、２−１〜２−６は棒状蛍光灯ランプのような光源、３−１は原稿を支持するための透明ガラス板、３−２は拡散板、４はＣＣＤラインセンサのような１次元イメージセンサ、５はＣＣＤセンサ４の出力を増幅する増幅部、６は増幅部のアナログ画像出力信号をディジタル信号に変換するＡ／Ｄコンバータ、７−１及び７−２は割算器、８は不揮発性メモリ、９−１及び９−２は白レベルメモリ、１０は白レベルメモリ９−１と９−２の出力を切り換えるセレクタ、１１はＣＣＤセンサ４に結像させるレンズである。」（４頁６欄、【００２７】）、
　オ　「ランプ２−１及び２−２は、ガラス板３−１上に載せられる原稿紙面及び白色基準板１（少なくとも原稿の幅と同じ長さを有する）に対する反射光用の光源で、ＣＣＤセンサと共にｙ方向（図で右方向）に移動できるようになっている。なお、ランプを２つ設けたのは、凹んだ原稿などでも影がでないようにするためである。レンズ１１は原稿の全幅を視野に入れてＣＣＤセンサ上に結像する。ランプ２−３〜２−６は、ガラス板３−１上に載せられるレントゲンフィルム等の原画フィルムに対して拡散板３−２を通じて透過光を与えるため、少なくとも原画フィルムの幅と同じ長さを有し所定間隔で少なくとも原画フィルムの長さに亘って配列されて固定の透過光用面光源を構成している。不揮発性メモリ８には、予め出荷時や装置の設置時などに、各装置毎にセンサ感度ばらつきの補正係数ｆｓ（ｘ）が格納されている。まず、本実施例装置を反射型として使用する場合について説明する。ランプ２−１及びランプ２−２の照射光を白色基準板１に照射し、その反射光をＣＣＤセンサ４で読み取り、信号増幅部５及びＡ／Ｄコンバータ６を経由して割算器７−１に入力する。Ａ／Ｄコンバータ６の出力は、３種のシェーディングの影響を受けており、ｆｓ（ｘ）×ｆｍ（ｘ）×ｆｌ（ｘ）で表わされる。不揮発メモリ８の出力ｆｓ（ｘ）でＡ／Ｄコンバータ６の出力を割算することによりセンサ感度ばらつきの補正がなされ、割算器７−１の出力は、ランプ２−１及びランプ２−２の光量シェーディングｆｌと光学系の変調シェーディングの合成の値ｆｍ（ｘ）×ｆｌ（ｘ）で表わされる。この出力を白レベルメモリ９−１に格納する。次に、拡散板３−２の下で（透明ガラス板３−１上に置かれた）入力原稿を反射光により読み取る場合、光源としてランプ２−１及びランプ２−２を使用し、ＣＣＤセンサ４をｙ方向に移動走査して、画像信号出力Ｋ×ｆｓ（ｘ）×ｆｍ（ｘ）×ｆｌ（ｘ）を得る。この場合不揮発性メモリ８と割算器７−１によりセンサ感度のばらつき補正がなされてＫ×ｆｍ（ｘ）×ｆｌ（ｘ）となり、次にセレクタ１０が白レベルメモリ９−１の出力ｆｍ（ｘ）×ｆｌ（ｘ）を選択することによって、割算器７−２はランプ２−１及びランプ２−２の光量シェーディングと光学系の変調シェーディングの補正を行なう。」（３頁４欄〜４頁５欄、【００２８】〜【００３１】）、
　カ　「なお、光学系（レンズ系）の１次元の変調シェーディング補正係数配列は、予め、１次元のセンサ感度シェーディング補正係数配列と一緒に求めて格納しておくこともでき、この場合、白レベルメモリ９−１にはランプ２−１、２−２による１次元の照明むらシェーディング補正係数配列ｆｌ（ｘ）のみを格納し、白レベルメモリ９−２にはランプ２−３〜２−６による２次元の照明むらシェーディング補正係数配列ｆｌ（ｘ，ｙ）のみを格納すればよい。」（５頁８欄、【００３５】）
が記載されている。 
　これらの記載ア〜カ及び図面図１によれば、引用例１には、「 レンズ１１を介して入射される入力原稿からの反射光線を受光し、受光量に応じて変換した電気信号を出力するＣＣＤセンサ４を具備する画像入力装置であって、前記各装置毎にセンサ感度ばらつきの補正係数ｆｓ（ｘ）が格納されている不揮発性メモリ８と、ランプ２−１及びランプ２−２の光量シェーディングｆｌと光学系の変調シェーディングの合成の値ｆｍ（ｘ）×ｆｌ（ｘ）が格納している白レベルメモリ９−１と、不揮発性メモリ８に格納されているセンサ感度ばらつきの補正係数ｆｓ（ｘ）及び白レベルメモリ９−１に格納されているランプ２−１及びランプ２−２の光量シェーディングｆｌと光学系の変調シェーディングの合成の値ｆｍ（ｘ）×ｆｌ（ｘ）と前記ＣＣＤセンサ４からの出力信号とを演算する割算器７−１，７−２とを備え、前記割算器７−１，７−２による演算結果により前記電気信号を補正するように構成されていることを特徴とする画像入力装置。」の発明（以下、「引用発明」という。）が記載されている。
 　  
３．対比
　そこで、本願発明と引用発明とを対比する。
　引用発明の「入力原稿」、「ＣＣＤセンサ４」、「センサ感度ばらつきの補正係数ｆｓ（ｘ）」、「不揮発性メモリ８」及び「白レベルメモリ９−１」は、本願発明の「被写体」、「複数の光電変換手段を有した撮像素子」、「複数の光電変換手段における感度ムラに基づく第１補正データ」、「第１メモリ」及び「第２メモリ」に相当する。
　引用発明の「画像入力装置」、本願発明の「カメラ型スキャナ装置」はともに「装置」といえる。
　引用発明の「格納されている」は、一般に、メモリに格納している状態を記憶している状態といえるから、本願発明の「記憶している」に相当し、引用例の白レベルメモリ９−１（第２メモリ）に記憶されているデータは第１補正データと異なる補正データであり、番号を付して識別することは普通に行われているから、本願発明の「第２補正データ」に相当し（注：データの内容は相違し、その相違は、以下、相違点２で挙げている。）、引用発明の「割算器７−１，７−２」は、割り算の演算を行っているといえるから、本願発明の「演算装置」に相当する。
　したがって、本願発明と引用発明は、「 レンズを介して入射される被写体からの反射光線を受光し、受光量に応じて変換した電気信号を出力する複数の光電変換手段を有した撮像素子を具備する装置であって、前記複数の光電変換手段における感度ムラに基づく第１補正データを記憶している第１メモリと、第２補正データを記憶している第２メモリと、前記第１メモリに記憶されている第１補正データ及び前記第２メモリに記憶されている第２補正データと前記撮像素子からの出力信号とを演算する演算手段とを備え、前記演算手段による演算結果により前記電気信号を補正するように構成されていることを特徴とする装置。」の点で一致し、以下の点で相違する。
　相違点１
　本願発明は、「カメラ型スキャナ装置」であるのに対して、引用発明では、「画像入力装置」であり、カメラ型入力装置でない点。
　相違点２
　本願発明は、第２のメモリに「前記レンズ固有の光量分布に基づく」第２補正データを記憶しているのに対して、引用発明では、第２のメモリに「ランプ２−１及びランプ２−２の光量シェーディングｆｌと光学系の変調シェーディングの合成の値ｆｍ（ｘ）×ｆｌ（ｘ）」の第２補正データを記憶している点。
　 
４．当審の判断
　以下、相違点１〜２について検討する。
  相違点１について
  画像入力の技術分野において、カメラ型スキャナ装置は周知である（特開昭６２−５３５６６号公報、特開昭６２−５３５６７号公報、特開昭６２−５３５６８号公報）。そして、カメラ型スキャナ装置は、レンズ及び固体撮像素子をその構成に必須とするものであり、これらレンズ及び固体撮像素子は、その構成上シェーディング補正が必要なことが生じることは、明記されていない場合でも、当業者が、当然としている課題であるといえる。そうすると、シェーディング補正が必要とされる課題と構成を持つ引用発明を、上記周知なカメラ型スキャナ装置に適用することは当業者が格別困難なくなし得ることである。
　してみれば、引用発明において、「画像入力装置」を「カメラ型スキャナ装置」とすることは、当業者が、容易に想到できたことである。
　相違点２について
　カメラで被写体を撮像する場合、光源を撮像者の意図に沿い任意に選定・設定することは、普通に行われていることであり、カメラ型スキャナ装置もカメラと同様な使用も可能であり、被写体を撮像する際、撮像者が、光源に関して、任意に選択・設定するものといえる。そして、レンズ及び固体撮像素子をその構成に必須とする周知なカメラ型スキャナにおいて、シェーディング補正が必要なものは、少なくともレンズ及び固体撮像素子についてであるといえる。
　また、引用発明において、（１）イメージセンサのビット間（各素子間すなわち各画素間）の感度ばらつきについてのシェーディング補正、（２）光学系（レンズ系）の変調シェーディングについてのシェーディング補正、（３）照明系（ランプ）の照射むらについてのシェーディング補正についての技術が開示されているところ、他のシェーディング補正と独立して、レンズ固有の光量分布に基づくの変調シェーディングについてのシェーディング補正を行う技術は、周知である（特開平４−１１９０７０号公報）。
　してみれば、引用発明において、「画像入力装置」を「カメラ型スキャナ装置」とする際、当業者が、上記レンズのついての周知技術を採用して、引用発明において、「第２のメモリに「ランプ２−１及びランプ２−２の光量シェーディングｆｌと光学系の変調シェーディングの合成の値ｆｍ（ｘ）×ｆｌ（ｘ）」の第２補正データを記憶している」に代え、「第２のメモリに「前記レンズ固有の光量分布に基づく」第２補正データを記憶している」とすることは、容易に想到できたことである。
 　 
５．むすび
　以上のとおり、本願発明は、引用例１に記載された発明に基づいて当業者が容易に発明することができたものであるから、特許法第２９条第２項の規定により特許を受けることができない。
　したがって、本願は、他の請求項に係る発明について検討するまでもなく、拒絶されるべきものである。
　よって、結論のとおり審決する。